(57)【要約】【課題】バックアップ機器が不用に作動することを防止すること。【解決手段】ドレンポット４０は、それぞれ上下方向に延び、互いに下端で連通する上流側通路４３および下流側通路４４と、上流側通路４３に形成された流入口４６と、下流側通路４４において流入口４６よりも高い位置に形成された流出口４７と、下流側通路４４の上端に形成された排気口４８とを有するドレンの貯留部４１と、流入口４６に接続された流入管４９と、排気口４８と流入管４９とを連通させる均圧管５１とを備えている。【選択図】図１
2018112322.tif 000002
【特許請求の範囲】
【請求項１】
それぞれ上下方向に延び、互いに下端で連通する上流側通路および下流側通路、前記上流側通路に形成された流入口、前記下流側通路において前記流入口よりも高い位置に形成された流出口、前記下流側通路の上端に形成された排気口を有するドレンの貯留部と、
前記流入口に接続された流入管と、
前記排気口と前記流入管とを連通させる均圧管とを備えている
ことを特徴とするドレンポット。
【請求項２】
請求項１に記載のドレンポットにおいて、
前記均圧管に設けられ、前記均圧管における前記排気口側から前記流入管側へ向かう流体の流れのみを許容する逆止弁を備えている
ことを特徴とするドレンポット。
【請求項３】
ドレン流通部と、
前記ドレン流通部における頂部よりも低い位置に接続されるメイン配管、該メイン配管に接続され、前記ドレン流通部のドレンが前記メイン配管を介して流入し、該流入したドレンを外部に排出するメイン排出機器を有するメイン系統と、
前記ドレン流通部に接続される請求項１または２に記載のドレンポット、該ドレンポットの流出口に接続されるバックアップ配管、該バックアップ配管に接続され、前記ドレン流通部のドレンが前記ドレンポットおよびバックアップ配管を介して流入し、該流入したドレンを外部に排出するバックアップ排出機器を有するバックアップ系統とを備え、
前記ドレンポットは、前記流入管が前記ドレン流通部の頂部に接続され、前記流出口の位置が前記ドレン流通部の頂部よりも高くなるように設置されている
ことを特徴とするドレン回収システム。
【請求項４】
請求項３に記載のドレン回収システムにおいて、
前記メイン排出機器およびバックアップ排出機器は、それぞれ、前記メイン配管およびバックアップ配管が接続されるドレンの流入口と、ドレンの圧送口と、作動気体の導入口とを有すると共に内部にドレンの貯留空間が形成され、前記導入口から前記貯留空間に作動気体を導入し該作動気体の圧力によって前記貯留空間のドレンを前記圧送口から排出する
ことを特徴とするドレン回収システム。
【請求項５】
請求項３または４に記載のドレン回収システムにおいて、
前記ドレン流通部は、蒸気を凝縮させる蒸気使用機器で発生したドレンが流入し貯留されるドレンヘッダである
ことを特徴とするドレン回収システム。
【発明の詳細な説明】
【技術分野】
【０００１】
本願は、ドレンポットおよびドレン回収システムに関する。
【背景技術】
【０００２】
従来より、ドレンヘッダ等のドレン流通部のドレンを機器で回収するドレン回収システムが知られている。このようなドレン回収システムでは、機器が故障等で作動不能になることを考慮し、メインの機器とバックアップ用の機器の２台を設けることがある。その場合、例えば特許文献１に開示されているように、２台の機器（圧送ポンプ）はそれぞれドレン流通部（液体タンク）と流入管によって接続される。ドレン貯留部において、バックアップ機器用の流入管はメイン機器用の流入管よりも開口位置を高くする。こうすることで、メイン機器が故障した場合、ドレン流通部のドレンはメイン機器には回収されないため水位が上昇するが、ドレンの水位がバックアップ機器用の流入管の開口位置まで上昇するとドレンはバックアップ機器に回収される。こうして、ドレン流通部においてドレンを排出することができ新たなドレンを流通させることができる。
【先行技術文献】
【特許文献】
【０００３】
【特許文献１】特開２０１３−１３０１４７号公報
【発明の概要】
【発明が解決しようとする課題】
【０００４】
ところで、ドレン流通部ではドレン水面に一様ではなく揺れ動く場合がある。そうすると、上述したような構成では、メイン機器が故障していないにも拘わらず、即ち実質的にドレンの水位が所定位置まで上昇していないにも拘わらず、ドレンがバックアップ機器にも流入する虞がある。そのため、バックアップ機器が不用に作動してしまい、バックアップ機器の故障や寿命低下を招く。
【０００５】
本願に開示の技術は、かかる事情に鑑みてなされたものであり、その目的は、ドレン流通部のドレンを回収するメイン機器およびバックアップ機器を備えたシステムにおいて、バックアップ機器が不用に作動することを防止することにある。
【課題を解決するための手段】
【０００６】
本願のドレンポットは、ドレンの貯留部と、流入管と、均圧管とを備えている。前記貯留部は、上流側通路および下流側通路と、流入口と、流出口と、排気口とを有している。前記上流側通路および下流側通路は、それぞれ上下方向に延び、互いに下端で連通している。前記流入口は、前記上流側通路に形成されている。前記流出口は、前記下流側通路において前記流入口よりも高い位置に形成されている。前記排気口は、前記下流側通路の上端に形成されている。前記流入管は、前記流入口に接続されている。前記均圧管は、前記排気口と前記流入管とを連通させる。
【０００７】
また、本願のドレン回収システムは、ドレン流通部と、メイン系統と、バックアップ系統とを備えている。前記メイン系統は、前記ドレン流通部における頂部よりも低い位置に接続されるメイン配管と、該メイン配管に接続され、前記ドレン流通部のドレンが前記メイン配管を介して流入し、該流入したドレンを外部に排出するメイン排出機器とを有している。前記バックアップ系統は、前記ドレン流通部に接続される上述のドレンポットと、該ドレンポットの流出口に接続されるバックアップ配管と、該バックアップ配管に接続され、前記ドレン流通部のドレンが前記ドレンポットおよびバックアップ配管を介して流入し、該流入したドレンを外部に排出するバックアップ排出機器とを有している。そして、前記ドレンポットは、前記流入管が前記ドレン流通部の頂部に接続され、前記流出口の位置が前記ドレン流通部の頂部よりも高くなるように設置されている。
【発明の効果】
【０００８】
本願のドレンポットおよびドレン回収システムによれば、バックアップ機排出機器が不用に作動することを防止することができる。
【図面の簡単な説明】
【０００９】
【図１】図１は、実施形態に係るドレンポットおよびドレン回収システムの概略構成を示す配管系統図である。
【図２】図２は、実施形態に係るドレンポットおよびドレン回収システムの概略構成を示す配管系統図である。
【発明を実施するための形態】
【００１０】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１１】
本実施形態のドレン回収システム１は、蒸気使用機器１１で発生したドレンを回収すると共に、回収したドレンを利用設備に供給するものである。利用設備の一例として、ボイラー設備が挙げられる。図１に示すように、ドレン回収システム１は、回収管１２と、ドレンヘッダ１４と、ドレンヘッダ１４のドレンを回収する（排出させる）メイン系統２０およびバックアップ系統３０とを備えている。
【００１２】
回収管１２は、一端（上流端）が蒸気使用機器１１に接続され、他端（下流端）がドレンヘッダ１４に接続されている。蒸気使用機器１１は、例えば熱交換器であり、別の設備より蒸気が供給され、その蒸気が対象物に放熱して凝縮し、対象物が加熱される。蒸気は、凝縮することによってドレン（復水）になる。つまり、蒸気使用機器１１では蒸気の凝縮潜熱によって対象物が加熱（潜熱加熱）される。
【００１３】
回収管１２は、蒸気使用機器１１で蒸気の凝縮により発生したドレン（復水）が回収（排出）される。回収管１２の途中には、スチームトラップ１３が設けられている。スチームトラップ１３は、蒸気使用機器１１で発生したドレンが回収管１２を介して流入する。スチームトラップ１３は、その上下流の圧力差（上流側の圧力と下流側の圧力との差）によって、流入したドレンのみを下流側へ自動的に排出するものである。なお、実際、スチームトラップ１３には蒸気混じりのドレンが流入する。
【００１４】
回収管１２は、ドレンヘッダ１４の頂部１６に接続されている。ドレンヘッダ１４は、蒸気使用機器１１で発生したドレンが回収管１２を介して流入し、一時的に貯留される。ドレンヘッダ１４は、本願の請求項に係るドレン流通部に相当する。本願において、ドレン流通部とは、ドレンが流れる箇所や、ドレンが貯留される箇所、ドレンが発生して溜まる箇所等を意味する。
【００１５】
メイン系統２０は、流入管２１と、メイン排出機器２２とを備えている。流入管２１は、一端（上流端）がドレンヘッダ１４の底部１５に接続され、他端（下流端）がメイン排出機器２２に接続されている。なお、流入管２１は本願の請求項に係るメイン配管に相当する。
【００１６】
メイン排出機器２２は、作動気体を導入し該作動気体の圧力によってドレンの排出動作を行う液体圧送機器である。メイン排出機器２２は、流入管２１が接続されるドレンの流入口２３と、ドレンの圧送口２４と、作動気体の導入口２６と、作動気体の排出口２５とを有する。圧送口２４には、圧送管２７が接続されている。また、メイン排出機器２２は、図示しないが、内部にドレンの貯留空間が形成され、その貯留空間のドレン水位に応じて上昇下降するフロートが貯留空間に収容されている。さらに図示はしないが、メイン排出機器２２は、フロートの上昇下降によって、排出口２５および導入口２６を開閉する開閉機構を有している。
【００１７】
メイン排出機構２０では、ドレンが貯留空間に溜まっていない場合、フロートは貯留空間の底部に位置する。この状態において、導入口２６は閉じられ排出口２５は開いている。そして、ドレンヘッダ１４のドレンが流入管２１を通って流入口２３から流入し貯留空間に溜まる。貯留空間にドレンが溜まっていくに従って、フロートが上昇する。なお、貯留空間ではドレンが溜まっていくにつれて作動気体が排出口２５から排出される。そして、貯留空間におけるドレン水位が所定高水位に達すると、開閉機構により導入口２６が開くと共に排出口２５が閉じられる。
【００１８】
導入口２６が開くと、作動気体が導入口２６から流入し貯留空間の上部に導入される。これにより、貯留空間に溜まっていたドレンは、導入された作動気体の圧力によって下方へ押されて圧送口２４から排出される。圧送口２４から排出されたドレンは、圧送管２７を通じて利用設備へ供給される。ドレンの排出によって貯留空間のドレン水位が低下すると、フロートが下降する。そして、貯留空間におけるドレン水位が所定低水位に達すると、開閉機構により導入口２６が閉じられると共に排出口２５が開く。こうして、メイン排出機器２２ではドレンの流入動作と排出動作とが交互に繰り返される。
【００１９】
このように、メイン排出機器２２は、導入された作動気体の圧力を動力源として、ドレンヘッダ１４のドレンを回収する（排出させる）ものである。つまり、メイン排出機器２２は非電動式の（電力を用いない）機器である。なお、導入口２６には、ドレン回収システム１が組み込まれる設備で用いられる高圧蒸気が作動気体として導入される。
【００２０】
バックアップ系統３０は、メイン排出機器２２の故障等により作動不能となった場合に、メイン系統２０に代わってドレンヘッダ１４のドレンを回収する（排出させる）ものである。メイン排出機器２２が作動不能になると、ドレンヘッダ１４のドレンがメイン系統２０に回収されなくなるため、ドレンヘッダ１４においてドレン水位が上昇し、やがて満杯になる。そうすると、蒸気使用機器１１で発生したドレンがドレンヘッダ１４に流入できなくなり問題となる。バックアップ系統３０は、ドレンヘッダ１４においてドレンが満杯になると、ドレンヘッダ１４のドレンを回収し（排出させ）、蒸気使用機器１１からドレンヘッダ１４へのドレンの流入を可能にする。
【００２１】
バックアップ系統３０は、流出管３１と、バックアップ排出機器３２と、ドレンポット４０とを備えている。流出管３１は、一端（上流端）がドレンポット４０に接続され、他端（下流端）がバックアップ排出機器３２に接続されている。なお、流出管３１は本願の請求項に係るバックアップ配管に相当する。
【００２２】
バックアップ排出機器３２は、メイン排出機器２２と同様に構成されており、作動気体を導入し該作動気体の圧力によってドレンの排出動作を行う液体圧送機器である。つまり、バックアップ排出機器３２は、流出管３１が接続されるドレンの流入口３３と、ドレンの圧送口３４と、作動気体の導入口３６と、作動気体の排出口３５とを有する。圧送口３４には、圧送管３７が接続されている。そして、バックアップ排出機器３２は、図示しないが、内部にドレンの貯留空間が形成されており、その貯留空間に収容されるフロートと、フロートの上昇下降によって排出口３５および導入口３６を開閉する開閉機構とを有し、メイン排出機器２２と同様の流入動作および排出動作を行う。
【００２３】
ドレンポット４０は、ドレンヘッダ１４と流出管３１との間に接続されている。ドレンポット４０は、ドレンヘッダ１４のドレンが満杯でない（即ち、ドレンヘッダ１４のドレン水位が頂部１６に達していない）ときは、ドレンヘッダ１４のドレンが流出管３１に流れるのを阻止する。そして、ドレンポット４０は、ドレンヘッダ１４のドレンが満杯になる（即ち、ドレンヘッダ１４のドレン水位が頂部１６に達する）と、ドレンヘッダ１４のドレンが流出管３１に流れるのを許容する。ドレンポット４０は、貯留部４１と、流入管４９と、均圧管５１と、逆止弁５２とを備えている。
【００２４】
貯留部４１は、ドレンを一時的に貯留する外形が縦長の円柱状容器に形成されている。貯留部４１は、内部に仕切部材４２が設けられている。仕切部材４２は、上下方向に延びる部材であり、貯留部４１の内部を水平方向に仕切っている。貯留部４１の内部は、仕切部材４２によって上流側通路４３と下流側通路４４に仕切られている。仕切部材４２は、貯留部４１の底板と間隔を置いて設けられている。この間隔は、上流側通路４３と下流側通路４４とが互いに下端で連通する連通部４５となっている。こうして、貯留部４１には、上流側通路４３と連通部４５と下流側通路４４とによって、略Ｕ字状の流体通路が形成されている。
【００２５】
上流側通路４３および下流側通路４４は、上下方向に延びる通路（空間）である。また、上流側通路４３は貯留部４１において底板から略中央部まで形成されており、下流側通路４４は貯留部４１において底板から上板まで形成されている。つまり、上流側通路４３は下流側通路４４よりも長さが短く、上流側通路４３の上端は下流側通路４４の上端よりも低い。なお、上流側通路４３の下端と下流側通路４４の下端とは同じ設置高さである。貯留部４１の側壁には、上流側通路４３の上部に開口するドレンの流入口４６と、下流側通路４４の上部に開口するドレンの流出口４７とが形成されている。また、貯留部４１の上板には、下流側通路４４に開口する排気口４８が形成されている。つまり、排気口４８は下流側通路４４の上端に設けられている。
【００２６】
流入管４９は、ドレンヘッダ１４と貯留部４１との間に接続されている。つまり、流入管４９の一端（上流端）はドレンヘッダ１４の頂部１６に接続され、他端（下流端）は貯留部４１の流入口４６に接続されている。均圧管５１は、排気口４８と流入管４９とを連通させる。つまり、均圧管５１の一端（上流端）は排気口４８に接続され、他端（下流端）は流入管４９の途中に接続されている。貯留部４１の流出口４７には、流出管３１が接続されている。
【００２７】
逆止弁５２は、均圧管５１に設けられており、均圧管５１における排気口４８側から流入管４９側へ向かう流体の流れのみを許容するものである。逆止弁５２は、弁体が付勢部材によって上流側へ付勢されて閉弁している。そして、逆止弁５２は、上流側の流体圧力が所定値以上に上昇すると、付勢部材の付勢力に抗して開弁する。
【００２８】
ドレンポット４０は、貯留部４１の流入口４６とドレンヘッダ１４の頂部１６とが同じ設置高さＨ１となるように設置されている。また、ドレンポット４０は、貯留部４１の流出口４７の設置高さＨ２が、ドレンヘッダ１４の頂部１６の設置高さＨ１よりも高くなるように設定されている。つまり、ドレンポット４０では流出口４７が流入口４６よりも高い位置にある。
【００２９】
〈運転動作〉
先ず、メイン排出機器２２が作動可能な場合について図１を参照しながら説明する。図１に太線の矢印で示すように、蒸気使用機器１１で発生したドレンは回収管１２を介してドレンヘッダ１４に流入し貯留される。ドレンヘッダ１４に貯留されたドレンは、流入管２１を介してメイン排出機器２２に流入し貯留され、やがて排出される。こうして、ドレンヘッダ１４では、蒸気使用機器１１からドレンが流入する一方、ドレンがメイン排出機器２２によって排出される。そのため、ドレンヘッダ１４のドレンは満杯にならない。
【００３０】
一方、ドレンポット４０では、貯留部４１において連通部４５よりも高い位置までドレンが貯留されている。つまり、貯留部４１では連通部４５がドレンによって水封されている。ドレンヘッダ１４の上部に存在する蒸気は、ドレンポット４０に流れる。具体的に、ドレンヘッダ１４に存在する蒸気は、流入管４９を介して貯留部４１の上流側通路４３に流入する。上流側通路４３に流入した蒸気は、連通部４５がドレンによって水封されているため、下流側通路４４には流れない。また、ドレンヘッダ１４の蒸気は、流入管４９を介して均圧管５１にも流入する。均圧管５１に流入した蒸気は、逆止弁５２が閉弁しているため、貯留部４１の下流側通路４４には流れない。こうして、ドレンヘッダ１４に存在する蒸気がドレンポット４０を通過してバックアップ排出機器３２に流入するのを阻止することができる。
【００３１】
また、ドレンヘッダ１４では、実質的にドレン水位が頂部１６まで達していない場合でも、ドレンの水面が揺れ動いてドレンがドレンポット４０の流入管４９に流入する場合がある。その場合、流入管４９に流入したドレンは貯留部４１の上流側通路４３に流れて貯留される。これにより、貯留部４１のドレンの貯留水位は上昇するが、流出口４７の位置まで上昇することはない。つまり、流入口４６がドレンヘッダ１４の頂部１６と同じ設置高さＨ１であり、流出口４７は流入口４６よりも高い位置にあるため、貯留部４１におけるドレンの貯留水位は流入口４６よりも高い位置まで上昇することはない。こうして、ドレンヘッダ１４において水面が揺れ動いてドレンが流入管４９に流入しても、そのドレンが貯留部４１を通過してバックアップ排出機器３２に流入するのを阻止することができる。これにより、バックアップ排出機器３２が不用に作動することを防止することができる。
【００３２】
次に、メイン排出機器２２が作動不能になった場合について図２を参照しながら説明する。この場合、ドレンヘッダ１４では、蒸気使用機器１１からドレンが流入する一方、そのドレンはメイン系統２０によっては排出されない。そのため、ドレンヘッダ１４ではドレン水位が徐々に上昇し、やがてドレンが満杯になる。そうすると、図２に太線の矢印で示すように、ドレンヘッダ１４のドレンは流入管４９を介して貯留部４１の上流側通路４３に流入する。一方、ドレンヘッダ１４には蒸気使用機器１１からドレンが流入する。
【００３３】
そのため、貯留部４１ではドレンが上流側通路４３から下流側通路４４へ流れ、下流側通路４４の貯留水位が上昇する。下流側通路４４における貯留水位の上昇に伴い、下流側通路４４の上部に存在していた蒸気が圧縮され蒸気の圧力が上昇する。そして、下流側通路４４において蒸気圧力が所定値まで上昇すると、逆止弁５２が開弁し、下流側通路４４の蒸気は均圧管５１を介して流入管４９に排出される。こうして、下流側通路４４から蒸気が排出されることにより、上流側通路４３から下流側通路４４にドレンが流れやすくなり、下流側通路４４のドレンの貯留水位が更に上昇しやすくなる。つまり、貯留部４１では蒸気が排出されると共にドレンが流入する気液置換が行われる。
【００３４】
そして、下流側通路４４のドレンの貯留水位が流出口４７の位置まで上昇すると、下流側通路４４のドレンは流出管３１を介してバックアップ排出機器３２に流入する。このように、ドレンヘッダ１４においてドレンが満杯になると、自動的にドレンヘッダ１４のドレンがバックアップ排出機器３２に流入し排出される。こうして、メイン排出機器２２が作動不能によりドレンヘッダ１４のドレンが満杯になっても、ドレンヘッダ１４のドレンはバックアップ系統３０によって排出される。
【００３５】
以上のように、上記実施形態のドレンポット４０は、互いに下端で連通する上流側通路４３および下流側通路４４と、上流側通路４３に形成された流入口４６と、下流側通路４４において流入口４６よりも高い位置に形成された流出口４７と、下流側通路４４の上端に形成された排気口４８とを有するドレンの貯留部４１を備えている。また、ドレンポット４０は、流入口４６に接続された流入管４９と、排気口４８と流入管４９とを連通させる均圧管５１とを備えている。
【００３６】
この構成によれば、流入管４９をドレンヘッダ１４（ドレン流通部）の頂部１６に
接続し、流入口４６がドレンヘッダ１４の頂部１６と同じ設置高さＨ１となるように、ドレンポット４０をドレンヘッダ１４とバックアップ排出機器３２との間に接続することにより、ドレンヘッダ１４におけるドレンの水面が揺れ動いてドレンが流入管４９を介して貯留部４１に流入しても、そのドレンが貯留部４１から流出するのを防止することができる。これにより、メイン排出機器２２が作動可能なときに、即ちドレンヘッダ１４が満杯でないときに、ドレンヘッダ１４のドレンがバックアップ排出機器３２に流入するのを防止することができる。よって、バックアップ排出機器３２が不用に作動するのを防止することができる。
【００３７】
一方、メイン排出機器２２の作動不能によりドレンヘッダ１４が満杯になったときは、自動的にドレンヘッダ１４のドレンをドレンポット４０を通過させてバックアップ排出機器３２に流入させることができる。このように、必要なときにだけバックアップ排出機器３２を作動させることができる。
【００３８】
また、上記実施形態のドレンポット４０は、均圧管５１に逆止弁５２が設けられている。この構成によれば、ドレンヘッダ１４に存在する蒸気がドレンポット４０を通過してバックアップ排出機器３２に流入するのを防止することができる。停止しているバックアップ排出機器３２に蒸気が流入して長時間経過すると、流入した蒸気が凝縮しドレンとなる。このドレンにより、バックアップ排出機器３２に錆が発生し故障や寿命低下の原因となる。上記実施形態では、こういったバックアップ排出機器３２の故障や寿命低下を未然に防止することができる。
【００３９】
また、上記実施形態のドレン回収システム１は、ドレンヘッダ１４（ドレン流通部）と、ドレンヘッダ１４の頂部よりも低い位置に流入管２１を介して接続されるメイン排出機器２２と、ドレンヘッダ１４に接続される上述のドレンポット４０と、ドレンポット４０の流出口４７に流出管３１を介して接続されるバックアップ排出機器３２とを備えている。そして、ドレンポット４０は、流入管４９がドレンヘッダ１４の頂部１６に接続され、流出口４７の位置がドレンヘッダ１４の頂部１６よりも高くなるように設置されている。この構成によれば、ドレンポット４０について上述した効果を奏するドレン回収システム１を提供することができる。
【００４０】
また、上記実施形態のドレン回収システム１は、メイン排出機器２２およびバックアップ排出機器３２が、作動気体を導入しその作動気体の圧力によって作動する非電動式の機器である。そのため、例えば、ドレンヘッダ１４のドレン水位を検出し、その検出信号に基づいてバックアップ排出機器３２を作動させることは困難である。この点、上記実施形態のドレン回収システム１では、上述したドレンポット４０を設けることにより、ドレンヘッダ１４のドレン水位を検出しなくても、必要なときにバックアップ排出機器３２を確実に作動させることができる。
【００４１】
（その他の実施形態）
上記実施形態について、以下のような構成としてもよい。
【００４２】
例えば、上流側通路４３は、貯留部４１において底板から上板まで形成されていてもよい。その場合、流入口４６は上記実施形態と同様に流出口４７よりも低い位置に形成される。
【００４３】
また、上記実施形態では、ドレン流通部としてドレンヘッダ１４を例示したが、本願に開示の技術はこれに限らず、ドレンが流れるドレン配管や、蒸気の凝縮によってドレンが発生して溜まるドレン溜まり部をドレン流通部として適用してもよい。
【００４４】
また、メイン排出機器およびバックアップ排出機器は、上記実施形態で説明したように作動気体を導入しその作動気体の圧力によってドレンを排出（圧送）する機器に限らず、スチームトラップ等の流入したドレンのみを外部に排出するドレントラップであってもよい。
【産業上の利用可能性】
【００４５】
本願に開示の技術は、ドレンポットおよびドレン回収システムについて有用である。
【符号の説明】
【００４６】
１        ドレン回収システム
１４      ドレンヘッダ（ドレン流通部）
１６      頂部
２０      メイン系統
２１      流入管（メイン配管）
２２      メイン排出機器
３０      バックアップ系統
３１      流出管（バックアップ配管）
３２      バックアップ排出機器
４０      ドレンポット
４１      貯留部
４３      上流側通路
４４      下流側通路
４６      流入口
４７      流出口
４８      排気口
４９      流入管
５１      均圧管
【図１】
2018112322.tif 000003
【図２】
2018112322.tif 000004